(57)【要約】【課題】電子機器をパネルとレールの両方に取り付け可能とする。【解決手段】デジタル指示計２は、ケース３の前側につば部５が形成されている。ケース３の左右両側には、上下対称のアダプタ１１がスライド自在に取り付けられる。アダプタ１１を前方へスライドすると、アダプタ１１の前側部に形成された押圧突起２２ａとつば部５との間で制御盤のパネル６が挟み付けられる。アダプタ１１の後方には、フック部２３が形成されている。フック部２３は、トップハット型レール３１に取り付けられる第１係合爪２３ａと、Ｇ型レールに取り付けられる第２係合爪２３ｂとを備える。【選択図】図３
2014192325.tif 000002
【特許請求の範囲】
【請求項１】
ケースの前側につば部が形成された電子機器を、パネルの開口とレールのいずれにも取付け可能とする電子機器の取付け装置において、
前記ケースの左右側面の少なくとも一方に、スライド自在に取り付けられるアダプタと、
前記アダプタの前方に設けられた押圧部であり、前記ケースの後側を先頭にして前記パネルの前方から前記開口に挿入した後に前記ケースに前記アダプタを取り付け、前記アダプタを前方にスライドさせたときに、前記パネルを押圧して前記つば部とともに前記パネルを挟み付けた状態にする押圧部と、
前記アダプタの後方に形成され、前記レールの上端と下端に係止される少なくとも１組のフック部と、
を備えることを特徴とする電子機器の取付け装置。
【請求項２】
前記アダプタは、前記ケースの左側面用と右側面用の２個であり、これらは同一形状をしていることを特徴とする請求項１記載の電子機器の取付け装置。
【請求項３】
前記ケースは、その上面と下面の両側にガイド溝が形成され、また両側面には複数のラチェット歯が形成され、
前記アダプタには、前記各ガイド溝にスライド自在に嵌合する凸部と、前記ラチェット歯に係脱可能に係合するラチェット爪とが形成されている、
ことを特徴とする請求項２記載の電子機器の取付け装置。
【請求項４】
前記押圧部は、前記アダプタの上部と下部に形成された押圧突起と、前記押圧突起の近くに形成され、前記押圧部を弾性変形可能にする切欠きと、を備えることを特徴とする請求項２または３記載の電子機器の取付け装置。
【請求項５】
前記１組のフック部は、形状が異なった複数のレールに選択的に取り付けられるように、複数個設けられていることを特徴とする請求項２ないし４いずれか１項記載の電子機器の取付け装置。
【発明の詳細な説明】
【技術分野】
【０００１】
本発明は、電子機器の取付け装置に関するものである。
【背景技術】
【０００２】
工場の製造ライン等では、各種の電子機器、例えばワークの状態や駆動系の動作状態を表示するデジタル指示計や、駆動系を制御するためのスイッチユニットや、制御量を入力するためのボリュームユニット等が使用されている。これらの電子機器は、制御盤のパネルに取り付けられたり、あるいは取付けレール（以下、単にレールという）に取り付けられている。
【０００３】
特許文献１記載の電子機器の取付構造では、パネルの開口に電子機器のケースを挿通した後、このケースに四角形をしたアダプタ嵌め込む。アダプタの押圧片と電子機器の前方に形成したつば部との間にパネルを挟持することで、電子機器がパネルに取り付けられる。このアダプタは、四角形の枠の両側に、パネルを押圧する八字状の押圧片がそれぞれ形成されている。
【０００４】
特許文献２記載の電子機器の取付装置では、電子機器のケースの左右側面それぞれに、パネルを押圧する押圧片を有する取付具を取り付け、この取付具をケースの前方にスライドさせ、ケースのつば部との間にパネルを挟持している。
【０００５】
特許文献３記載の電子機器のレール取付装置では、ブラケットを、電子機器の背面に取り付けている。レールにはつばが形成され、ブラケットには、このつばと係合する係合片が形成されている。また、特許文献４記載の被取付物の取付構造では、装置本体（電子機器に相当）に、上下一対の係合爪を形成し、その一方を固定係合爪とし、他方をバネ付勢された可動係合爪としている。可動係合爪をスライドさせ、２つの爪でレールの上端と下端を係止している。
【先行技術文献】
【特許文献】
【０００６】
【特許文献１】実公平７−０５５０３３号公報
【特許文献２】特開２００８−２６３０５８号公報
【特許文献３】実用第２５６１６８８号公報
【特許文献４】特開平１１−１１２１６７号公報
【発明の概要】
【発明が解決しようとする課題】
【０００７】
特許文献１及び２では、アダプタまたは取付具により、電子機器をパネルに取り付けることはできるが、電子機器をレールに取り付けることができない。また、特許文献３及び４では、ブラケットまたは係合爪により、電子機器をレールに取り付けることはできるが、電子機器をパネルに取り付けることができない。電子機器の取り付けには、パネルとレールの２通りがあるが、特許文献１〜４は、いずれも一方にしか取り付けることができず、不便であった。また、パネルとレールの両方に取り付けができるようにするには、パネル取付用部品とレール取付用部品の両方を電子機器に付属させることが必要となる。これは、部品点数が増加し、コストアップの原因となる。
【０００８】
本発明は、１つの部品で電子機器をパネルと取付用レールのいずれにも取り付けることができる電子機器の取付け装置を提供することを目的とする。
【課題を解決するための手段】
【０００９】
上記目的を達成するため、本発明の電子機器の取付け装置は、ケースの前側につば部が形成された電子機器を、パネルの開口とレールのいずれにも取付け可能とする電子機器の取付け装置において、ケースの左右側面の少なくとも一方に、スライド自在に取り付けられるアダプタと、アダプタの前方に設けられた押圧部であり、ケースの後側を先頭にしてパネルの前方から開口に挿入した後にケースにアダプタを取り付け、アダプタを前方にスライドさせたときに、パネルを押圧してつば部とともにパネルを挟み付けた状態にする押圧部と、アダプタの後方に形成され、レールの上端と下端に係止される少なくとも１組のフック部と、を備えることを特徴とする。
【００１０】
また、アダプタは、ケースの左側面用と右側面用の２個であり、これらは同一形状をしていることが好ましい。
【００１１】
さらに、ケースは、その上面と下面の両側にガイド溝が形成され、また両側面には複数のラチェット歯が形成され、アダプタには、各ガイド溝にスライド自在に嵌合する凸部と、ラチェット歯に係脱可能に係合するラチェット爪とが形成されている、ことが好ましい。
【００１２】
また、押圧部は、アダプタの上部と下部に形成された押圧突起と、押圧突起の近くに形成され、押圧部を弾性変形可能にする切欠きと、を備えることが好ましい。
【００１３】
さらに、１組のフック部は、形状が異なった複数のレールに選択的に取り付けられるように、複数個設けられていることが好ましい。
【発明の効果】
【００１４】
本発明によれば、電子機器のケース側面に取り付けられるアダプタに、パネルを押圧して、ケースのつば部との間でパネルを挟み付ける押圧部と、レールに係止されるフック部とを形成したので、電子機器をパネルとレールのいずれにも取り付けることができる。また、１個の部品でよいので、部品点数が少なく、安価に製作することができる。
【図面の簡単な説明】
【００１５】
【図１】パネルに取り付けたデジタル指示計の前側斜視図である。
【図２】パネルに取り付けたデジタル指示計の後側斜視図である。
【図３】デジタル指示計とアダプタの分解斜視図である。
【図４】パネルにデジタル指示計を取り付けた状態を示す側面図である。
【図５】デジタル指示計をトップハット型レールに取り付けた状態を示す斜視図である。
【図６】デジタル指示計をトップハット型レールに取り付けた状態を示す側面図である。
【図７】デジタル指示計をＧ型レールに取り付けた状態を示す斜視図である。
【図８】デジタル指示計をＧ型レールに取り付けた状態を示す側面図である。
【図９】アダプタのラチェット爪をケースのラチェット歯に係合した状態を示す断面図である。
【発明を実施するための形態】
【００１６】
図１及び図２に示すように、電子機器例えばデジタル指示計２は、箱形をしたケース３と、このケース３の前面に取り付けられた表示面４とを備える。デジタル指示計２は、制御盤等のパネル６に取り付けられる。このパネル６には、デジタル指示計２のケース３が挿通される開口６ａが形成されている。ケース３が開口６ａから抜け出ないように、ケース３の前側にはつば部（枠）５が設けられている。表示面４には、ディスプレイ８と操作スイッチ９ａ〜９ｆ等が設けられている。
【００１７】
デジタル指示計２は、その後側を先頭にして開口６ａ内に挿入してから、アダプタ１１をケース３の両側に取り付けることによって、パネル６に固定される。このアダプタ１１は、樹脂、例えばＡＢＳ（Ａｃｒｙｌｏｎｉｔｒｉｌｅ  Ｂｕｔａｄｉｅｎｅ  Ｓｔｙｒｅｎｅ）の射出成形により一体成形される。
【００１８】
図３に示すように、つば部５は、ケース３の外周に形成され、ケース３よりも突出し、開口６ａに当たるようになっている。なお、つば部５は、ケース３の一辺にだけ設けてもよい。
【００１９】
ケース３の上面及び下面には、アダプタ１１をスライド自在に保持するガイド溝３ａが左右の端部のそれぞれに形成されている。ケース３の左右それぞれの側面には、アダプタ１１を位置決めするために複数のラチェット歯３ｂが、前後方向に並んで形成されている（図９参照）。ケース３の背面には、複数の入力端子１５及び出力端子１６が設けられている。入力端子１５には、例えばロードセル１７（図４参照）が接続され、出力端子１６には、製造工場に配される制御装置１８（図４参照）が接続されている。このロードセル１７は、例えば炉つぼから種シリコンを引き上げるときの引き上げ荷重を測定する。
【００２０】
アダプタ１１は、ほぼ板状の本体部２１と、この本体部２１の前側に形成された弾性変形可能な押圧部２２と、本体部２１の後側に形成されたフック部２３とを備える。アダプタ１１の各部２１〜２３は、上下対称形で形成され、同じアダプタ１１を右側面用と左側面用に兼用使用することができる。
【００２１】
本体部２１の上下それぞれの端部には、ケース３のガイド溝３ａに挿入される凸部２１ａが形成されている。本体部２１には、ラチェット歯３ｂに係合する弾性変形可能なラチェット爪２１ｂが形成されている。
【００２２】
押圧部２２は、パネル６を押圧する押圧突起２２ａが上下それぞれに形成され、この押圧突起２２ａを弾性変形可能にするための切欠き２２ｂが上下それぞれに形成されている。この例では、切欠き２２ｂは、ほぼフラスコ形状をしている。
【００２３】
図４に示すように、フック部２３は、それぞれ上下対称形で一対に形成された第１係合爪２３ａ及び第２係合爪２３ｂを備える。１組の第２係合爪２３ｂは、異なった位置に溝が２個形成されている。
【００２４】
図５及び図６に示すように、第１係合爪２３ａは、デジタル指示計２を、断面がハット形状のトップハット型レール３１に取り付けるときに使用される。このトップハット型レール３１は、ＤＩＮ（Ｄｅｕｔｓｃｈｅ  Ｉｎｄｕｓｔｒｉｅ  Ｎｏｒｍｅｎ）レールと呼ばれている。
【００２５】
また、図７及び図８に示すように、第２係合爪２３ｂは、デジタル指示計２を、断面が略Ｇ形状を左右反転させたＧ型レール４１に取り付けるときに使用される。
【００２６】
次に、上記実施形態の作用について説明する。デジタル指示計２を使用するときには、工場の設備に応じて、デジタル指示計２が、制御盤のパネル６、トップハット型レール３１、Ｇ型レール４１のいずれかに取り付けられて使用される。例えば、パネル６に取り付ける場合には、デジタル指示計２のケース３を、後側を先頭にしてパネル６の前側から開口６ａに挿通する。パネル６の背面に突出したケース３のガイド溝３ａに、アダプタ１１の凸部２１ａを、ケース３の後側から挿入する。
【００２７】
凸部２１ａをガイド溝３ａに挿入した後、アダプタ１１の押圧突起２２ａがパネル６の背面に当接するまでアダプタ１１を前方に移動する。この移動中に、ラチェット爪２１ｂがラチェット歯３ｂに係合する。この状態から、さらにアダプタ１１を前方（図９における左方）に移動すれば、アダプタ１１の押圧部２２が変形する。これとともに、ラチェット爪２１ｂが、ラチェット歯３ｂを乗り越え、次のラチェット歯３ｂに係合する。この状態では、押圧部２２が変形して、押圧突起２２ａをパネル６に押圧しているので、図２及び図４に示すように、パネル６は、つば部５とアダプタ１１との間で挟持される。これにより、デジタル指示計２がパネル６に固定される。また、ラチェット機構によってアダプタ１１の後方への戻りが防止される。なお、ラチェット歯３ｂは複数個並んでいるので、厚みの異なるパネルの場合にも、アダプタ１１を固定することができる。
【００２８】
デジタル指示計２の入力端子１５にロードセル１７を接続し、出力端子１６に制御装置１８を接続する。荷重を測定する被測定物をロードセル１７の先端に取り付けると、この被測定物の重量がロードセル１７に加わり、このロードセル１７に印加した荷重に応じた測定電圧が発生する。この測定電圧は、増幅器で増幅されてからＡ／Ｄ変換器でデジタル信号に変換される。この測定データは、デジタル指示計２に送られ、ディスプレイ８に表示される。また、測定データは、デジタル指示計２から制御装置１８にも送られ、制御装置１８でデータ解析が行われる。
【００２９】
図５及び図６に示すように、デジタル指示計２をトップハット型レール３１に取り付ける場合には、アダプタ１１をデジタル指示計２のケース３に取り付けた後、トップハット型レール３１の上部と下部に、その端からアダプタ１１の上下一対の第１係合爪２３ａを差し込む。これにより、デジタル指示計２は、トップハット型レール３１に係止される。
【００３０】
さらに、図７及び図８に示すように、デジタル指示計２をＧ型レール４１に取り付けることができる。この場合は、Ｇ型レール４１の上側先端を、上側の第２係合爪２３ｂの手前側の溝に係合し、Ｇ型レール４１の下側先端を、下側の第２係合爪２３ｂの奥側の溝に係合する。
【００３１】
デジタル指示計２のケース３の両側には、上下対称のアダプタ１１を２個取り付けるので、アダプタ成形用の金型は１個となる。これにより、形状の異なるアダプタを２個用いる場合に比べて、金型コストが半分となる。さらに、同じアダプタ１１を２個取り付けるので、形状の異なるアダプタを２個取り付けるものに比べて、取付作業効率が向上する。なお、デジタル指示計２が軽量な場合等では、ケース３の片側にだけアダプタ１１を取り付けてもよい。
【００３２】
なお、上記実施形態では、前面にディスプレイが設けられたデジタル指示計をパネルまたはレールに取り付けているが、例えば、前面にボリュームつまみが設けられたボリュームユニットや、前面にスイッチが設けられたスイッチユニット等の電子機器の取付けに用いることができる。
【００３３】
また、トップハット型やＧ型に限定されず、他のレールに取り付けてもよい。この場合は、レールの形状に応じて、フック部の形状を変更する。
【００３４】
さらに、上記実施形態では、アダプタに形成した凸部を、ケースに形成したガイド溝に挿入しているが、ケースに形成した凸部を、アダプタに形成したガイド溝に挿入してもよい。
【符号の説明】
【００３５】
２  デジタル指示計
３  ケース
５  つば部
６  パネル
６ａ  開口
１１  アダプタ
２２  押圧部
２２ａ  押圧突起
２３  フック部
３１  トップハット型レール
４１  Ｇ型レール
【図１】
2014192325.tif 000003
【図２】
2014192325.tif 000004
【図３】
2014192325.tif 000005
【図４】
2014192325.tif 000006
【図５】
2014192325.tif 000007
【図６】
2014192325.tif 000008
【図７】
2014192325.tif 000009
【図８】
2014192325.tif 000010
【図９】
2014192325.tif 000011